(57)【要約】【課題】先端框と対向框を上部鎌錠と下部鎌錠により連接状とする施錠構造において、その上部鎌錠と下部鎌錠を従動せしめる錠操作部との間のリンクを固定し得る補助錠を設けて、これを主錠の施錠に伴い別段の操作を必要とせずとも働くようにした横引シャッターの施錠構造を提供すること。【解決手段】開口内を水平方向に移動し該開口を遮蔽状とし得る横引シャッターに具えられる、先端框の上部と下部に配した上部鎌錠と下部鎌錠を係止部を有するリンクを介して一つの錠操作部に接続してなる主錠と、該リンクに対し係止部材を付勢し押圧状とする補助錠とよりなり、主錠の錠操作部の施錠操作をすることにより、先端框の上部鎌錠と下部鎌錠の其々を対向框の上部掛止孔と下部掛止孔に掛止せしめ主錠の施錠をし、これと同時に、主錠のリンクの係止部が補助錠の係止部材が係止状となり補助錠が働くこととする。【選択図】  図５
0003110050.tif 000002
【実用新案登録請求の範囲】
【請求項１】
開口内を水平方向に移動し該開口を遮蔽状とし得る横引シャッターに具えられる、先端框の上部と下部に配した上部鎌錠と下部鎌錠を係止部を有するリンクを介して一つの錠操作部に接続してなる主錠と、該リンクに対し係止部材を付勢し押圧状とする補助錠とよりなり、先端框をこれと対向する部材の対向框に当接し開口を遮蔽状とし、次いで主錠の錠操作部の施錠操作をすることにより、先端框の上部鎌錠と下部鎌錠の其々を対向框の上部掛止孔と下部掛止孔に掛止せしめ主錠の施錠をし、これと同時に、主錠のリンクの係止部が補助錠の係止部材が係止状となり補助錠が働くことを特徴とする横引シャッター施錠構造。
【請求項２】
前記の横引シャッターは、所要複数のスラットを左右に連結してなることを特徴とする請求項１に記載の横引シャッター施錠構造。
【請求項３】
前記の横引シャッターは、所要複数の支軸を連結部材を介して左右に連結してなることを特徴とする請求項１に記載の横引シャッター施錠構造。
【請求項４】
前記の横引シャッターは、開口に設けた水平枠内に設置してあり、該水平枠に案内され水平方向に移動し得ることを特徴とする請求項１乃至請求項３の何れかに記載の横引シャッター施錠構造。
【請求項５】
前記の上部鎌錠と下部鎌錠は、其々が先端框に回動可能に軸着してあり、錠操作部の施解錠操作により進退するリンクを接続し、該リンクに従動して回動し、先端框より出没することを特徴とする請求項１乃至請求項４の何れかに記載の横引シャッター施錠構造。
【請求項６】
前記の上部鎌錠と下部鎌錠とは、互いに上下対称の形状であることを特徴とする請求項１乃至請求項５の何れかに記載の横引シャッター施錠構造。
【請求項７】
前記の錠操作部は、先端框の上部鎌錠と下部鎌錠の中間位置に配して配してあることを特徴とする請求項１乃至請求項６の何れかに記載の横引シャッター施錠構造。
【請求項８】
前記の補助錠は、側面に切欠を有する枠体に係止部材をコイルバネにより付勢し収容してなり、該枠体の切欠を通じてリンクの一部が係止部材と枠体との間に挟入した状態で主錠の施解錠に伴いリンクが進退し、解錠時には係止部が枠体外に在るように配してあり、施錠時にはリンクの係止部が枠体内に在り、該枠体内で係止部に係止部材が係止することを特徴とする請求項１乃至請求項７の何れかに記載の横引シャッター施錠構造。
【請求項９】
前記の係止部材は、該係止部材を付勢方向と逆向に押下する操作部を具えることを特徴とする請求項１乃至請求項８の何れかに記載の横引シャッター施錠構造。
【考案の詳細な説明】
【技術分野】
【０００１】
本考案は、建物の開口に具えられ該開口を水平方向に開閉し得る横引シャッターの施錠構造に係り、詳しくは、開閉すべき開口内に水平移動自在に設置する横引シャッターの先端框に具えられる施錠構造とその補助錠に関するものである。
【背景技術】
【０００２】
建物の開口に設けらる横引シャッターは、所要複数のスラットを水平方向に互いに連結してなり、これを建物の開口内に水平移動自在に設置して、該開口の開閉をし得るものとしてあり、開口の端部に設けた収容部に移動して収容し、或いは、開口内の収容部に折畳み収容状として該開口を開放状とするものであり、また、収容部より開口内に移動して該開口を覆い、その先端框を対向框に当接して該開口を遮蔽状とするものである。
【０００３】
なお、通常は開口の開閉を一つ又は二つの横引シャッターにより行い、一つの横引シャッターによれば、開口の片側に収容部を有し、これに収容し得る横引シャッターの先端框を、開口の他端の縦枠の対向框に当接し、二つの横引シャッターによれば、開口の両側に収容部を有し、一方の収容部に収容し得る横引シャッターの先端の先端框を、他方の収容部に収容し得る横引シャッターの先端の対向框に当接して、該開口を遮蔽状とするようにしてある。
【０００４】
また、横引シャッターは、必要に応じ、開口内での水平移動を円滑にすべく一定間隔を以って上縁部又は下縁部に設けられた車輪を介して、該開口の上部或いは上下部に設けられた水平枠に案内され水平移動自在に設置してある。
【０００５】
ところで、横引シャッターには、これを設置した開口を先端框と対向框を当接して遮蔽状としたときに、該先端框と対向框を該状態に固定して施錠し得るように、その先端框には施錠構造が具えられており、該施錠構造は、先端框に設けられたサムターンや鍵シリンダー等を具える錠操作部の施解錠操作により、該先端框より錠部材が出没し得るようにしてある。
【０００６】
これまで、施錠構造としては、例えば、錠部材としてある軸部材を先端框の上下端部より垂直方向に出没し得るようにして、該軸部材を開口の上下枠の受け孔に挿入して施錠する施錠構造が横引シャッターに具えられ多く実施されているが、該施錠構造を設け施錠状態とした先端框を湾曲状に押し曲げることにより、上下の軸部材が受け孔より抜け、正規の鍵や手段によらずとも施錠が解除され得ることがあり望ましくない。
【０００７】
そこで、横引シャッターの先端框に具えられる施錠構造としては、先端框の施解錠操作部の施解錠操作により該先端框の上部と下部に配した上部鎌錠と下部鎌錠を出没し得るようにして、該上部鎌錠と下部鎌錠を対向框の上部と下部に穿孔してなる上部掛止孔と下部掛止孔の其々に掛止して、該先端框と対向框を連接状として施錠し得る施錠構造とすることが、前記の如き不正な手段による施錠の解除がされることがなく望ましい（例えば、特許文献１参照。）。
【０００８】
【特許文献１】実開平２−１０５４７１
【考案の開示】
【考案が解決しようとする課題】
【０００９】
然しながら、上述の如く施錠を先端框の対向框の上部掛孔と下部掛孔の其々に掛止して行う施錠構造であっても、その施解錠操作部を、正規の手段や鍵を用いずに、例えば所謂ピッキング手段や強引にドライバー等の治具による抉じ開け手段のように、不正な手段により解錠操作されればリンクが従動し、上部鎌錠と下部鎌錠が従動して、施錠が解除されることとなり、また、上部鎌錠及び下部鎌錠の上部掛止孔及び下部掛止孔への掛止を、上部鎌錠又は下部鎌錠に外力を加え、リンクを強引に動かし、上部鎌錠及び下部鎌錠施錠を先端框内に戻して、施錠を解除されることもある。
【００１０】
そこで本考案は、先端框と対向框を上部鎌錠と下部鎌錠により連接状とする施錠構造において、その上部鎌錠と下部鎌錠を従動せしめる錠操作部との間のリンクを固定し得る補助錠を設けて、これを主錠の施錠に伴い別段の操作を必要とせずとも働くようにした横引シャッターの施錠構造を提供することを、その解決すべき課題とした。
【課題を解決するための手段】
【００１１】
上述の課題を解決するために本考案による横引シャッターの施錠構造は、開口内を水平方向に移動し該開口を遮蔽状とし得る横引シャッターに具えられる、先端框の上部と下部に配した上部鎌錠と下部鎌錠を係止部を有するリンクを介して一つの錠操作部に接続してなる主錠と、該リンクに対し係止部材を付勢し押圧状とする補助錠とよりなり、先端框をこれと対向する部材の対向框に当接し開口を遮蔽状とし、次いで主錠の錠操作部の施錠操作をすることにより、先端框の上部鎌錠と下部鎌錠の其々を対向框の上部掛止孔と下部掛止孔に掛止せしめ主錠の施錠をし、これと同時に、主錠のリンクの係止部が補助錠の係止部材が係止状となり補助錠が働くこととしてあればよく、これを第１の構成とする。
【００１２】
又、前記の第１の構成に加え、前記の横引シャッターは、所要複数のスラットを左右に連結してなることとしてもよく、これを第２の構成とする。
【００１３】
又、前記の第１の構成に加え、前記の横引シャッターは、所要複数の支軸を連結部材を介して左右に連結してなることとしてもよく、これを第３の構成とする。
【００１４】
望ましくは、前記の第１乃至第３の何れかの構成に加え、開口に設けた水平枠内に設置してあり、該水平枠に案内され水平方向に移動し得ることとしてあるとよく、これを第４の構成とする。
【００１５】
又、前記の第１乃至第４の何れかの構成に加え、前記の上部鎌錠と下部鎌錠は、其々が先端框に回動可能に軸着してあり、錠操作部の施解錠操作により進退するリンクを接続し、該リンクに従動して回動し、先端框より出没することとしてあるとよく、これを第５の構成とする。
【００１６】
又、前記の第１乃至第５の何れかの構成に加え、前記の上部鎌錠と下部鎌錠とは、互いに上下対称の形状としてあるとよく、これを第６の構成とする。
【００１７】
又、前記の第１乃至第６の何れかの構成に加え、前記の錠操作部は、先端框の上部鎌錠と下部鎌錠の中間位置に配して配してあるとよく、これを第７の構成とする。
【００１８】
又、前記の第１乃至第７の何れかの構成に加え、前記の補助錠は、側面に切欠を有する枠体に係止部材をコイルバネにより付勢し収容してなり、該枠体の切欠を通じてリンクの一部が係止部材と枠体との間に挟入した状態で主錠の施解錠に伴いリンクが進退し、解錠時には係止部が枠体外に在るように配してあり、施錠時にはリンクの係止部が枠体内に在り、該枠体内で係止部に係止部材が係止することとしてあるとよく、これを第８の構成とする。
【００１９】
又、前記の第１乃至第８の何れかの構成に加え、前記の係止部材は、該係止部材を付勢方向と逆向に押下する操作部を具えることとしてあるとよく、これを第９の構成とする。
【考案の効果】
【００２０】
本考案による横引シャッターの施錠構造は、前述の第１乃至第４の構成の如く構成とすることにより、先端框の錠操作部の施解錠操作により、リンクを介して上部鎌錠と下部鎌錠を従動せしめ、其々を上部掛止孔と下部掛止孔に掛止状又は非掛止状とし、施解錠をし得る主錠を具え、且つ、主錠の施錠操作により、リンクに押圧状としてある係止部材が相対的に摺動し主錠の施錠状態において該リンクの係止部に係止し、主錠の解錠操作を阻み得る補助錠を具えることとなる。
【００２１】
加えて、前述の第５の構成の如く構成とすることにより、上部鎌錠と下部鎌錠を、施錠操作部を施解錠操作することにより、確実に先端框より出没せしめ、より安定的に上部掛止孔と下部掛止孔の其々に掛止することができ、更に、第６の構成の如く構成することにより、当接して上部鎌錠と上部掛止孔、下部鎌錠と下部掛止孔の其々を掛止した先端框と対向框を、堅固に連接状とすることができる。
【００２２】
又、前述の第７の構成の如く構成とすることにより、上下方向に幅広の横引シャッターであって、その先端框の上部と下部の十分に離れた位置に、上部鎌錠と上部掛止孔、下部鎌錠と下部掛止孔の其々を配置して安固に施錠し得るようにしても、施解錠操作をし易い位置に、例えば、直立した人の胸元の高さ位置に、主錠の錠操作部を配置することができる。
【００２３】
又、前述の第８の構成の如く構成とすることにより、主錠の錠操作部の施錠操作により、別段の操作をすることなく補助錠を働かせることができ、枠体内にリンクを保持して確実に係止部と係止部材を係止せしめることができ、更に係止した係止部と係止部材がリンクに外力が加わっても外れ難いものとなる。
【００２４】
又、前述の第９の構成の如く構成とすることにより、施錠状態にある主錠を、補助錠を係止部材の操作部を操作して容易に解除し、錠操作部を操作し解錠することができ、また、該補助錠の係止部の操作部の状態を確認することにより、主錠の施錠状態を確認することもできる。
【００２５】
このように、本考案による本考案による横引シャッターの施錠構造は、主錠の錠操作部の施錠操作のみで補助錠が働き、主錠と共働し上下の鎌錠の掛孔への掛止を安固なものとでき、且つ、補助錠を解除せずに不正な手段で主錠の解錠をすべく、例えば鍵シリンダーを設けた錠操作部を正規鍵を用いずに所謂ピッキング手段やドライバー等の治具による抉じ開け手段により、施錠した主錠の錠操作部を解錠操作しようとしても、或いは、上下の鎌錠の掛孔への掛止を強引に解除しようとしても、補助錠によりリンクが固定されており、主錠の解錠が困難なものとなる。
【００２６】
加えて、主錠の錠操作部は施錠すれば同時に補助錠が作動し、補助錠の解除をすることなく主錠の解錠操作ができないことから、一度施錠した主錠の錠操作部を誤操作により解錠してしまうことがなく、また、主錠を施錠した後に錠操作部が解錠操作不能となっていることを確認することで、該主錠が確実に施錠されていることを確認することができ、主錠の施錠の誤操作や施錠の不良が未然に防ぐことができる。
【考案を実施するための最良の形態】
【００２７】
本考案による横引シャッターの施錠構造１のうち、最良の形態としたものについて、図示をしつつ以下に詳説する。
【００２８】
尚、後述する、両開きの所要複数のスラットを左右に連結してなる横引シャッター２の屋内側からの正面図を図１として、所要複数のスラットを左右に連結してなる片開きの横引シャッター２の収容部３Ａ側を省略した屋内側からの斜視図を図２として、所要複数の支軸を連結部材を介して左右に連結してなる横引シャッター２の収容部３Ａ側を省略した屋内側からの斜視図を図３として示し、先端框４に上部鎌錠１３Ａと下部鎌錠１３Ｂを破線に示している。
【００２９】
また、後述する、主錠１０の解錠時の先端框４と対向框５の垂直断面図を図４として、主錠１０の施錠時の先端框４と対向框５の垂直断面図を図５として、そのＡ−Ａ線の矢印側の水平断面図を、両開きの横引シャッター２については図６として、片開きの横引シャッター２については図７として、先端框４と対向框５に連結したスラット等を省略して示している。
【００３０】
また、後述する、主錠１０の解錠時の錠操作部１１とリンク１２の垂直断面図を図８として、主錠１０の施錠時の錠操作部１１とリンク１２の垂直断面図を図９として、主錠１０の解錠時の補助錠２０とリンク１２の斜視図を図１０として、そのＢ−Ｂ線の矢印側の水平断面図を図１２として、主錠１０の施錠時の補助錠２０とリンク１２の斜視図を図１１として、そのＣ−Ｃ線の矢印側の水平断面図を図１３として、一部を省略して示している。
【００３１】
本考による横引シャッターの施錠構造１を設ける横引シャッター２は、建物開口３内に該開口３の開閉をすべく水平移動自在に設置されるものであり、開口３の開放時には、これに設けた横引シャッター２を該開口３の具える横引シャッター２の収容部３Ａに移動せしめ収容して該開口３を開放状として、開口３の遮蔽時には、これに設けた横引シャッター２を前記収容部３Ａより該開口３内に移動せしめ、これにより該開口３を覆い遮蔽状とするものである。
【００３２】
このような横引シャッター２は、一つの開口３内に単数又は複数として設置し得るものであり、図１に示すように、開口３内にその両側に収容部３Ａを具えた、二つの横引シャッター２，２´を対向状に設置して両開の横引シャッター２として、或いは、図２又は図３に示すように、開口３内にその片側に収容部３Ａを具えた、一つの横引シャッター２を設置して片開きの横引シャッター２として、該開口３の開閉をするようにしたものがある。
【００３３】
また、横引シャッター２は、図１乃至図３に示すように、その最先端に垂直な先端框４を有し、これと対向する垂直な対向框５に当接して開口３を遮蔽し得るようにしてあり、両開きの横引シャッター２にあっては、開口３の一側に収容部３Ａを有す一方の横引シャッター２の最先端に先端框４を有し、該開口３の他側に収容部３Ａを有す対向状の他方の横引シャッター２´の最先端に対向框５を有しており、片開きの横引シャッター２にあっては、開口３の一側に収容部３Ａを有す横引シャッター２の最先端に先端框４を有し、該開口３の他側に対向状の対向框５を有することとしてある。
【００３４】
また、横引シャッター２は、通常は、必要に応じて、開口３内に該開口３の上部或いは上下部に水平枠３Ｂを設けて該水平枠３Ｂを介して設置してあり、該上部の水平枠３Ｂに吊下し、或いは、上下部の水平枠３Ｂ内に設置して、該水平枠３Ｂに案内され開口３内を水平移動するようにしてあり、更に、横引シャッター２の上下縁には水平枠３Ｂ内を転動することにより円滑に該横引シャッター２を水平移動せしめる車輪を具えていることが多いが、水平枠３Ｂを設けず、車輪を具えずとも、開口３の幅が狭く且つ横引シャッター２が軽量なものであれば、その収納部３Ａ側を吊元として該収容部に固定することもある。
【００３５】
また、横引シャッター２は、図１又は図２に示すように、所要複数のスラットを左右に互いに連結してなるものや、図３に示すように、所要複数の支軸を連結部材を介して左右に互いに連結してなるものや、図示はしないが、折畳して全幅を伸縮しうる、例えば、アルミニウム合金の骨組に、布やビニルクロスを張設した所謂アコーディオンドアのように、巻取または折畳し得るものが好ましく、開口３に具えられる収容部３Ａに水平移動して、巻取または折畳して収容するようにしてあり、収容部３Ａが占有する空間を少なくしてあることが望ましい。
【００３６】
本考案による横引シャッター２の施錠構造１は、図４及び図５に示すように、上述の如き横引シャッター２の先端框４に具えられ、主錠１０と補助錠２０を備え、該主錠１０には、一つの錠操作部１１と、これに接続した二つのリンク１２Ａ，１２Ｂと、これら二つのリンク１２Ａ，１２Ｂの其々に接続し、先端框４に回動可能に軸着した上部鎌錠１３Ａと下部鎌錠１３Ｂを有しており、該主錠１０の錠操作部１１を施解錠操作することにより、先端框４より上部鎌錠１３Ａと下部鎌錠１３Ｂが同時に出没し得るようにしてある。
【００３７】
そして、図６に示すように、横引シャッター２の先端框４と、これと対向する他の横引シャッター２´の対向框５と当接し、或いは、図７に示すように、横引シャッター２の先端框４とこれと対向する開口３の縦枠に具えられる対向框５と当接したときに、該先端框４の上部鎌錠１３Ａと下部鎌錠１３Ｂを対向框５に設けた上部掛止孔１４Ａと下部掛止孔１４Ｂの其々に掛止して、先端框４とその対向框５を連接状として、更に、該状態で補助錠２０が働き、主錠の解錠操作を阻み、該横引シャッター２を設置した開口３を安固に遮蔽し得るものとしてある。
【００３８】
この、錠操作部１１は、図８及び図９に示すように、錠箱１５に設けられたサムターンや、その施解錠操作に鍵を要するシリンダーを正逆に回動せしめて施解錠操作を行い、これに二つのリンク１２Ａ，１２Ｂの其々の一端を接続し、同時に該錠箱１５より一定の幅を進退するようにしてあり、例えば、錠操作部１１の施解錠操作により回転する軸周を歯車として、リンク１２の一端に該歯車と対応するラックを設けて、該ラック上を前記歯車が転動するようにしてあればよい。
【００３９】
そして、それらの二つのリンク１２Ａ，１２Ｂの他端が上部鎌錠１３Ａと下部鎌錠１３Ｂの其々に接続してあり、錠操作部１１を施解錠操作してリンク１２Ａ，１２Ｂを進退せしめ、上部鎌錠１３Ａと下部鎌錠１３Ｂを従動せしめ、先端框４より出没せしめて、其々を先端框４と対向当接した対向框５の上部掛止孔１４Ａと下部掛止孔１４Ｂに掛止するようにしてある。
【００４０】
なお、主錠１０の錠操作部１２は、図１乃至図３に示すように、先端框４に、上部鎌錠１３Ａと下部鎌錠１３Ｂの間の、施解錠操作をし易い位置に配置してあり、例えば、成人の胸元の高さに配置してあることが望ましく、また、先端框４と対向框５が安定的に連接状となるよう、上部鎌錠１３Ａと下部鎌錠１３Ｂ、及びこれらと対応する上部掛止孔１４Ａと下部掛止孔１４Ｂの其々は、先端框４及び対向框５の其々の上端付近と下端付近に配置してあることが望ましい。
【００４１】
また、上部鎌錠１２Ａと下部鎌錠１２Ｂは、図１乃至図３に示すように、先端框４に、上下対称の形状としてあり、これらが上部掛孔１３Ａと下部掛孔１３Ｂの其々に外れ難く掛止し得るようにしてあることが望ましい。
【００４２】
ここで、補助錠２０は、上述の如き主錠１０に併せて具えられるものであり、施解錠操作をする際に進退する二つのリンク１２Ａ，１２Ｂについて少なくとも一方に具えられ、主錠１０の施錠をしたときに、少なくとも一方のリンク１２を係止部１６を介して係止して固定状として、二つのリンク１２Ａ，１２Ｂを固定状として、主錠１１の解錠操作を阻むようにしてある。
【００４３】
補助錠２０は、切り欠きを有す枠体２１と、該枠体２１に内装する係止部材２２と、該係止部材２２を付勢する弾性部材２３とよりなり、主錠１０の解錠時のリンク１２の位置では、枠体２１の切り欠きを介してリンク１２の一部を枠体２１に内在せしめ、該リンク１２を枠体２１内で係止部材２２を押圧状として、該枠体２１の内壁と係止部材２２の間にリンク１２を挟入してある。
【００４４】
また、主錠１０の施錠時のリンク１２の位置では、リンク１２の係止部１６が、補助錠２０の係止部材２２と係止して、リンク１２を主錠１０の解錠時の位置の方向に移動しないようにしてある。
【００４５】
例えば、図１０乃至図１３に示すように、リンク１２の一部に幅広の部分をそれと隣接する他の部分との間に段部をなすように設け、主錠１０の解錠時には補助錠２０の枠体２１に切り欠きを介してリンク１２の幅広の部分を挟入して内在せしめ、主錠１０の施錠時には該リンク１２の幅広の部分が補助錠２０の枠体２１より脱して、係止部１６としてある段部が該枠体２１に内在して、該段部内に係止部材２２がコイルバネよりなる弾性部材２３により移動して、係止部材２２が係止するようにしてあればよい。
【００４６】
加えて、補助錠２０には、該補助錠２０の係止部材２２とリンク１２の係止部１６の係止を解除操作する操作部２４が具えられ、該操作部２４は、補助錠２０の係止部材２２とリンク１２の係止部１６が係止した状態で突出状となり、先端が先端框の外部に突出状となり、補助錠が働いていることが示されるようにしてあるとよい。
【００４７】
尚、建物の屋内外を隔てるべく開口３に具えられる横引シャッター２にあっては、先端框４の屋内側面に補助錠２０の操作部２４の先端が突出し得るようにしてあり、図１又は図２に示すような、所要複数のスラットを左右に連結してなる横引シャッター２にあっては、錠操作部１１の屋外側に鍵孔を設け、屋内側に鍵孔又はサムターンを設けて、屋外側からは主錠１０の施錠のみをし得り、屋内側からのみ補助錠２０を解除しつつ主錠１０の解錠をし得るようにしてある。
【００４８】
また、図３に示すような、所要複数の支軸を連結部材を介して左右に連結してなる横引シャッター２にあっては、錠操作部１１の屋外側に鍵孔を設け、必要に応じて屋内側に鍵孔を設けて、屋外側からも先端框４の屋内側面に手を入れて補助錠２０を解除しつつ主錠１０の解錠をし得るものとしてある。
【産業上の利用可能性】
【００４９】
上述の如く構成した本考案による横引シャッターの施錠構造は、施錠された主錠の解錠にあたり、補助錠を知らぬ者が解錠操作し難いものとなり、特に建物の屋内外を隔てるべく開口に設置される横引シャッターに設けるに相応しいものとなる。
【図面の簡単な説明】
【００５０】
【図１】両開きの横引シャッターの正面図
【図２】片開きの横引シャッターの斜視図
【図３】片開きの横引シャッターの斜視図
【図４】解錠時の先端框と対向框の垂直断面図
【図５】施錠時の先端框と対向框の垂直断面図
【図６】図５のＡ−Ａ線の水平断面図
【図７】図５のＡ−Ａ線の水平断面図
【図８】解錠時の施錠操作部とリンクの垂直断面図
【図９】施錠時の施錠操作部とリンクの垂直断面図
【図１０】解錠時の補助錠とリンクの斜視図
【図１１】施錠時の補助錠とリンクの斜視図
【図１２】図１０のＢ−Ｂ線の水平断面図
【図１３】図１１のＣ−Ｃ線の水平断面図
【符号の説明】
【００５１】
１    施錠構造
２    横引シャッター
２´  横引シャッター
３    建物開口
３Ａ  収容部
３Ｂ  水平枠
４    先端框
５    対向框
１０    主錠
１１    錠操作部
１２    リンク
１２Ａ  リンク
１２Ｂ  リンク
１３Ａ  上部鎌錠
１３Ｂ  下部鎌錠
１４Ａ  上部掛止孔
１４Ｂ  下部掛止孔
１５    錠箱
１６    係止部
２０    補助錠
２１    枠体
２２    係止部材
２３    弾性部材
２４    操作部
【図１】
0003110050.tif 000003
【図２】
0003110050.tif 000004
【図３】
0003110050.tif 000005
【図４】
0003110050.tif 000006
【図５】
0003110050.tif 000007
【図６】
0003110050.tif 000008
【図７】
0003110050.tif 000009
【図８】
0003110050.tif 000010
【図９】
0003110050.tif 000011
【図１０】
0003110050.tif 000012
【図１１】
0003110050.tif 000013
【図１２】
0003110050.tif 000014
【図１３】
0003110050.tif 000015